(57)【特許請求の範囲】
【請求項１】
建物の柱又は間柱の外側に張設される断熱材と、この断熱材の外側に配設される縦胴縁とを備えた建物の断熱構造において、
前記建物の所定位置に水平に配設された梁、桁、胴差、又は土台の外側に受け材を水平に固定し、前記断熱材を前記受け材の上方及び／又は下方に張設すると共に、前記縦胴縁を前記受け材に固定したことを特徴とする建物の断熱構造。
【請求項２】
前記受け材を、上下方向に互いに間隔を開けて配設された２つの前記梁、桁、胴差、又は土台の外側にそれぞれ水平に固定し、前記断熱材をこれら２つの受け材の間に張設すると共に、前記縦胴縁の上端を上方の受け材に固定し且つ前記縦胴縁の下端を下方の受け材に固定したことを特徴とする請求項１記載の建物の断熱構造。
【請求項３】
前記縦胴縁を、前記断熱材を介して前記柱又は前記間柱に固定したことを特徴とする請求項１又は２記載の建物の断熱構造。
【発明の詳細な説明】
【０００１】
【発明の属する技術分野】
この発明は、壁部分や屋根部分に断熱材を張設した建物の断熱構造に関する。
【０００２】
【従来の技術】
従来のこの種の技術としては、(1) 図９に示すように、例えば、建物Ａの柱１又は間柱２の外側に張設される２層の断熱材３と、該断熱材３の外側に配設される縦胴縁４とを備えた建物Ａの断熱構造等が知られている。
【０００３】
この断熱構造においては、前記柱１又は間柱２の内側に横胴縁５１を介して内装材５２が取付けられると共に、この柱１又は間柱２の外側に前記２層の断熱材３が張設されることが多い。また、この２層の断熱材３の外側には前記縦胴縁４が配設されると共に、この縦胴縁４の外側には外装材１３が取付けられる。
【０００４】
前記縦胴縁４の固定には釘やビス等の止着部材１２が使用されており、縦胴縁４は、この止着部材１２により前記２層の断熱材３を介して柱１又は間柱２に固定される。前記外装材１３も、止着部材等（図示せず）によって縦胴縁４に取付けられる。
【０００５】
また、(2) 図１０に示すように、前記断熱材３のずれ落ち防止を目的として、建物Ａの基礎１１上に載置された土台５の外側に受け材５８を水平に固定し、この受け材５８に前記２層の断熱材３を載置するようにして張設することもある。
【０００６】
更に、(3) 図１１に示すように、前記柱１又は間柱２の外側に１層目の断熱材３を張設し、この断熱材３を介して縦胴縁４を柱１又は間柱２に止着部材（図示せず）で固定すると共に、相近接する縦胴縁４の間に２層目の断熱材３を張設することもある（特開昭６３−１０８９０４号公報参照）。
【０００７】
また、この種の断熱構造としては、(4) 図１２に示すように、例えば、建物Ａの小屋組Ｇの上方側に水平に配設された母屋２５，２６等の外側に張設される断熱材３と、該断熱材３の外側に配設される通気用胴縁２４とを備えたものも知られている。
【０００８】
この断熱構造においては、前記母屋２５，２６等の外側に例えば地垂木５９、下地材（野地板）１４、及びアスファルトルーフィング６０等を介して断熱材３が張設されることが多い。また、前記断熱材３の外側には垂木６１が横方向に所定間隔を開けて配設されると共に、これら垂木６１同士の間に２層目の断熱材３が張設される。更に、前記垂木６１の外側には通気用胴縁２４が配設されると共に、この通気用胴縁２４の外側には野地板３１やアスファルトルーフィング６０等を介して屋根材３３が取付けられる。
【０００９】
この場合も、前記屋根材３３が取付けられる通気用胴縁２４や垂木６１は、止着部材等により前記１層目の断熱材３を介して地垂木５９等に固定される。
【００１０】
【発明が解決しようとする課題】
周知のように、最近では、建物Ａの断熱性向上の観点から厚い断熱材３が使用されると共に、意匠性向上等の観点から厚くて重い外装材１３や屋根材３３が使用されることが多い。しかしながら、このような場合、上記の従来例(1) 、(3) 、及び(4) においては、前記縦胴縁４や通気用胴縁２４が断熱材３を介して固定されていると共に、更にこの縦胴縁４や通気用胴縁２４に外装材１３や屋根材３３が取付けられているので、この外装材１３や屋根材３３の重量によって縦胴縁４や通気用胴縁２４を固定した止着部材１２が曲がり、外装材１３や屋根材３３、縦胴縁４や通気用胴縁２４、並びに断熱材３がずれ落ちる恐れがあるという問題点がある。
【００１１】
なお、従来例(2) においては、前記受け材５８を設けているために断熱材３のずれ落ちは防止されるが、この断熱材３が比較的軟らかい材質で構成されているので、断熱材３の内部で前記止着部材１２が曲がり、外装材１３や縦胴縁４がずれ落ちる恐れがあるという問題点がある。
【００１２】
この発明は、以上のような問題点に鑑みてなされたものであり、断熱材が厚い場合や、外装材や屋根材が厚くて重い場合でも、外装材や屋根材、縦胴縁や通気用胴縁、並びに断熱材がずれ落ちる恐れがない建物の断熱構造を提供することを目的とする。
【００１３】
【課題を解決するための手段】
上記目的を達成するための手段とするところは、第１に、建物の柱又は間柱の外側に張設される断熱材と、この断熱材の外側に配設される縦胴縁とを備えた建物の断熱構造において、前記建物の所定位置に水平に配設された梁、桁、胴差、又は土台の外側に受け材を水平に固定し、前記断熱材を前記受け材の上方及び／又は下方に張設すると共に、前記縦胴縁を前記受け材に固定したことにある。
【００１４】
第２に、前記受け材を、上下方向に互いに間隔を開けて配設された２つの前記梁、桁、胴差、又は土台の外側にそれぞれ水平に固定し、前記断熱材をこれら２つの受け材の間に張設すると共に、前記縦胴縁の上端を上方の受け材に固定し且つ前記縦胴縁の下端を下方の受け材に固定したことにある。
【００１５】
第３に、前記縦胴縁を、前記断熱材を介して前記柱又は前記間柱に固定したことにある。
【００２２】
【発明の実施の形態】
以下、この発明の実施形態を図面に基づいて説明する。なお、既述の従来技術と同じ構成については、同一符号を付してその説明を省略する。
【００２３】
図１乃至図５に示すように、第１実施形態に係る建物Ａの断熱構造は、例えば、木造在来軸組工法による２階建ての建物Ａの柱１又は間柱２の外側に張設される断熱材３と、該断熱材３の外側に配設される縦胴縁４とを備え、前記建物Ａの所定位置に水平に配設された土台（横材）５、胴差（横材）６、及び軒桁（横材）７の外側に受け材８，９，１０をそれぞれ水平に固定し、前記断熱材３をこれら受け材８，９，１０の上方や下方に張設すると共に、前記縦胴縁４を少なくともいずれかの受け材８，９，１０に固定したものである。
【００２４】
前記建物Ａの１階部分Ｆ１においては、基礎１１上に上下に載置された２つの土台５のうちの例えば上方側の土台５の外側に釘やビス等の止着部材１２で固定された受け材８と、前記胴差６の外側に止着部材１２で固定された受け材９との間に断熱材３が張設され、前記土台５の受け材８の下方にも高さの低い断熱材３が張設されている。また、胴差６の受け材９には１階用の縦胴縁４の上端４ａが止着部材１２で固定されていると共に、土台５の受け材８にはその縦胴縁４の下端４ｂが止着部材１２で固定されている。
【００２５】
建物Ａの２階部分Ｆ２においても同様に、前記軒桁７の外側に止着部材１２で固定された受け材１０と前記胴差６の受け材９との間に断熱材３が張設されている。また、軒桁７の受け材１０には２階用の縦胴縁４の上端４ａが止着部材１２で固定されていると共に、胴差６の受け材９にはその縦胴縁４の下端４ｂが止着部材１２で固定されている。更に、１階用及び２階用の縦胴縁４の外側には、止着部材等（図示せず）によってサイディング等の外装材１３が取付けられている。
【００２６】
なお、この実施形態で言うところの横材とは、建物Ａの所定位置に水平に配設される構造部材をいい、例えば、梁、軒桁７や敷桁等の桁、胴差６等の横架材の他、基礎１１の上方に載置される土台５等も含まれる。
【００２７】
前記断熱材３としては、防湿性や施工性等の観点から例えば板状の発泡プラスチック系のものが望ましいが、高密度のグラスウール等を使用してもよい。また、前記受け材８，９，１０同士の間に張設する断熱材３としては、施工性や気密性等の観点から、これら受け材８，９，１０同士の間隔とほぼ同じ高さに切断した所定幅の１枚板を使用するのが望ましく、施工の際にはこれを横方向に並べるようにして張設すればよい。なお、この断熱材３は２層以上張設してもよいし、更には前記縦胴縁４同士の間に張設してもよい。
【００２８】
前記縦胴縁４は、必要に応じて前記受け材８，９，１０同士の間隔よりも少し長く形成されていると共に、１階部分Ｆ１及び２階部分Ｆ２においてそれぞれ横方向に所定間隔を開けて固定されている。なお、縦胴縁４の長さとしては、この実施形態に限定されるものではなく、前記受け材８，９，１０同士の間隔より短くてもよい。この場合には、縦胴縁４の少なくとも１箇所をいずれかの受け材８，９，１０に固定すればよいが、更にその他の箇所を、止着部材等により前記断熱材３を介して柱１又は間柱２に固定しておくのが望ましい。
【００２９】
このように、縦胴縁４を少なくともいずれかの受け材８，９，１０に固定しておけば、この縦胴縁４の外側に厚くて重い外装材１３を取付ける場合でも、受け材８，９，１０及び縦胴縁４が前記土台５等の横材に強固に固定されているので、これらがずれ落ちる恐れがないという利点がある。また、前記断熱材３が厚い場合でも、この断熱材３は柱１又は間柱２と縦胴縁４の間に張設されるだけであって外装材１３等の重量は支持しないので、ずれ落ちる恐れがないという利点がある。
【００３０】
ここで、前記断熱材３の内側に、この実施形態のように必要に応じて例えばベニヤ板等の下地材１４を張設しておけば、耐震強度や気密性を向上できるという利点がある。なお、この下地材１４は、２層以上であってもよい。
【００３１】
また、張設する下地材１４が１枚板でなく目地部分を有する場合において、必要に応じてこの目地部分に例えば弾性を有する発泡プラスチックテープ等で構成された気密テープ１５を貼付けておけば、気密性をより向上できるという利点がある。同様に、前記断熱材３と受け材８，９，１０の目地部分にも、必要に応じてこの気密テープ１５を貼付けておけば、気密性をより向上できるという利点がある。また、図１及び図３に示すように、前記２つの土台５の目地部分等にも、必要に応じて気密テープ１５を貼付けておいてもよい。なお、この気密テープ１５に代えて又は気密テープ１５と共に、コーキング材で処理等しておいてもよい。
【００３２】
この実施形態のように、縦胴縁４の上端４ａを上方の受け材９（１０）に固定し且つ縦胴縁４の下端４ｂを下方の受け材８（９）に固定しておけば、この縦胴縁４の固定をより強固にできるという利点がある。加えて、この縦胴縁４を、止着部材等により前記断熱材３を介して柱１又は間柱２に固定しておけば、縦胴縁４の固定を更に強固にできるという利点がある。
【００３３】
ここで、前記縦胴縁４は、図６に示すように、土台５から軒桁７に渡る長尺のものを使用してもよいし、更には図７に示すように、胴差６に受け材９を固定せずに、縦胴縁４の上下端４ａ，４ｂを土台５の受け材８と軒桁７の受け材１０にそれぞれ固定する等してもよい。
【００３４】
図８に示すように、第２実施形態に係る建物Ａの断熱構造は、建物Ａの小屋組Ｇの上方側に水平に配設された例えば母屋（横材）２５，２６，２７等の外側に張設される断熱材３と、該断熱材３の外側に配設される通気用胴縁２４とを備え、前記母屋２５，２６，２７の外側に受け材２８，２９，３０をそれぞれ水平に固定し、前記断熱材３をこれら受け材２８，２９，３０の斜め上方や斜め下方に張設すると共に、前記通気用胴縁２４を少なくともいずれかの受け材２８，２９，３０等に固定したものである。
【００３５】
前記通気用胴縁２４の外側には、例えば野地板３１等を介して止着部材等（図示せず）により屋根材３３が取付けられている。
【００３６】
なお、この実施形態で言うところの横材とは、小屋組Ｇの上方側に水平に配設される母屋２５，２６，２７、鼻母屋、棟木等をいう。
【００３７】
このように、通気用胴縁２４を止着部材等により少なくともいずれかの受け材２８，２９，３０等に固定しておけば、この通気用胴縁２４の外側に厚くて重い屋根材３３を取付ける場合でも、受け材２８，２９，３０及び通気用胴縁２４が前記母屋２５，２６，２７等に強固に固定されているので、これらがずれ落ちる恐れがないという利点がある。また、前記断熱材３が厚い場合でも、この断熱材３は受け材２８，２９，３０同士の間に張設されるだけであって屋根材３３等の重量は支持しないので、ずれ落ちる恐れがないという利点がある。なお、第１実施形態と同様、この断熱材３は２層以上であってもよいし、更には通気用胴縁２４同士の間に張設しておいてもよい。
【００３８】
ここで、断熱材３の内側に、必要に応じて少なくとも１層の下地材１４を張設しておけば、耐震強度や気密性を向上できるという利点がある。
【００３９】
また、この下地材１４同士の目地部分や前記断熱材３と受け材２８，２９，３０の目地部分にも、必要に応じて気密テープ１５を貼付けたり、コーキング材で処理等をしておけば、気密性をより向上できるという利点がある。
【００４０】
なお、通気用胴縁２４の上端２４ａを例えば斜め上方の受け材３０等に固定し且つ通気用胴縁２４の下端２４ｂを斜め下方の受け材２８等に固定しておけば、この通気用胴縁２４の固定をより強固にできるという利点がある。この場合も第１実施形態と同様、鼻母屋から棟木に渡る長尺な通気用胴縁２４を使用してもよいし、更には受け材２８等を所定の横材だけに固定しておいてもよい。
【００４１】
また、この実施形態においては、母屋２５等に受け材２８等を直接固定しているが、これに限定されるものではなく、これらの間に地垂木等を介在させておいてもよいし、更には受け材２８等と通気用胴縁２４の間に垂木等を介在させておいてもよい。この場合、前記地垂木に、通気用胴縁２４を断熱材３を介して固定しておけば、この通気用胴縁２４の固定を更に強固にできるという利点がある。
【００４２】
以上、第１及び第２実施形態においては、木造在来軸組工法による２階建ての建物Ａの断熱構造について説明したが、これに限定されるものではなく、従来公知の各種の工法によって施工される２階又は３階建て等の種々の建物Ａの断熱構造に採用することができる。
【００４３】
【実施例】
次に、上下２つの受け材に縦胴縁の上下端をビスでそれぞれ固定する場合における安全率を算出する。
【００４４】
縦胴縁を固定しているビスのせん断力が４３２．２kg／本（東日本パワーファスニング株式会社データ参照）である場合、縦胴縁の上下端をそれぞれ固定した２本のビスのせん断力は、
４３２．２（kg／本）×２（本）＝８６４．２（kg）…………▲１▼
【００４５】
また、縦胴縁１本当たりの外装材（最大１７kg／ｍ2 ）の荷重は、
【数１】
0003663478.tif 000002
【００４６】
従って、安全率は、
【数２】
0003663478.tif 000003
となり、上下端２本のビスの固定だけでも十分である。
【００４７】
【比較例】
一方、受け材を設けずに、縦胴縁（厚さ１８ｍｍ）を断熱材（商品名：カネライトフォームＢＫ、厚さ７０ｍｍ）及び下地材（合板、厚さ９ｍｍ）を介して柱又は間柱に固定する場合における必要なビス間隔を算出する。
【００４８】
ビス１本に対する許容荷重ｗは、
σ＝Ｍ／Ｚ＝３２ｗＬ／πｄ3 ≦１６００（kg／cm2 ）より、
【数３】
0003663478.tif 000004
【００４９】
ビスにかかる荷重Ｗｔは、
0003663478.tif 000005
【００５０】
１ｍ2 当たりのビス本数を逆算すると、
【数４】
0003663478.tif 000006
【００５１】
４５５ｍｍ間隔で縦胴縁があるので、
【数５】
0003663478.tif 000007
【００５２】
従って、安全率１としても、１１ｃｍ以下の間隔でビスを施工する必要がある。そのため、施工に手間や時間がかかると共に、外装材が更に重くなる場合には、ずれ落ちる恐れも生じることになる。
【００５３】
【発明の効果】
以上のように、請求項１の発明によれば、建物の所定位置に水平に配設された梁、桁、胴差、又は土台の外側に受け材を水平に固定し、断熱材をこの受け材の上方及び／又は下方に張設すると共に、縦胴縁を受け材に固定しているので、この縦胴縁の外側に厚くて重い外装材を取付ける場合でも、受け材及び縦胴縁が土台等の横材に強固に固定されているためにこれらがずれ落ちる恐れがないという利点がある。また、断熱材が厚い場合でも、この断熱材は柱又は間柱と縦胴縁の間に張設されるだけであって外装材等の重量は支持しないので、ずれ落ちる恐れがないという利点がある。
【００５４】
請求項２の発明によれば、受け材を、上下方向に互いに間隔を開けて配設された２つの梁、桁、胴差、又は土台の外側にそれぞれ水平に固定し、断熱材をこれら２つの受け材の間に張設すると共に、縦胴縁の上端を上方の受け材に固定し且つ縦胴縁の下端を下方の受け材に固定しているので、この縦胴縁の固定をより強固にできるという利点がある。
【００５５】
請求項３の発明によれば、縦胴縁を、断熱材を介して柱又は間柱に固定しているので、縦胴縁の固定を更に強固にできるという利点がある。
【図面の簡単な説明】
【図１】第１実施形態に係る建物の断熱構造を示す一部省略縦断面図。
【図２】図１のＸ−Ｘ線拡大横断面図。
【図３】図１の土台付近の要部拡大縦断面図。
【図４】図１の胴差付近の要部拡大縦断面図。
【図５】図１の軒桁付近の要部拡大縦断面図。
【図６】より長尺な縦胴縁を使用した例を示す一部省略縦断面図。
【図７】胴差に受け材を固定しない例を示す一部省略縦断面図。
【図８】第２実施形態に係る建物の断熱構造を示す一部省略縦断面図。
【図９】従来例(1) の横断面図。
【図１０】従来例(2) の縦断面図。
【図１１】従来例(3) の一部切欠斜視図。
【図１２】従来例(4) の一部切欠斜視図。
【符号の説明】
Ａ  建物
１  柱
２  間柱
３  断熱材
４  縦胴縁
４ａ  上端
４ｂ  下端
５  土台（横材）
６  胴差（横材）
７  軒桁（横材）
８，９，１０  受け材
１４  下地材
１５  気密テープ
Ｇ  小屋組
２４  通気用胴縁
２４ａ  上端
２４ｂ  下端
２５，２６，２７  母屋（横材）
２８，２９，３０  受け材
【図１】
0003663478.tif 000008
【図２】
0003663478.tif 000009
【図３】
0003663478.tif 000010
【図４】
0003663478.tif 000011
【図５】
0003663478.tif 000012
【図６】
0003663478.tif 000013
【図７】
0003663478.tif 000014
【図８】
0003663478.tif 000015
【図９】
0003663478.tif 000016
【図１０】
0003663478.tif 000017
【図１１】
0003663478.tif 000018
【図１２】
0003663478.tif 000019